(57)【要約】【課題】本発明は、バックライト光源を使用する画像表示装置に関し、光源への電源供給経路であるランプケーブルの引き回し自由度を高める余長吸収部を有し、電源供給源の設置位置の自由度が大きい画像表示装置を提供することを目的とする。【解決手段】本発明の画像表示装置１は、画像表示パネル２、画像表示パネル２のバックライト光源４、バックライト光源４への電源供給経路であるランプケーブル６、ランプケーブル６の余長を吸収する余長吸収部を備え、余長吸収部は、画像表示装置の背面または側面に配設された突起部１１を含んで構成される。【選択図】  図１
2008287047.tif 000002
【特許請求の範囲】
【請求項１】
画像表示パネルと、
前記画像表示パネルのバックライト光源と、
前記光源への電源供給経路であるランプケーブルと、
前記ランプケーブルの余長を吸収する余長吸収部とを備え、
前記余長吸収部は、前記画像表示装置の背面または側面に配設された突起部を含む画像表示装置。
【請求項２】
前記突起部は複数設けられる、請求項１に記載の画像表示装置。
【請求項３】
前記突起部は、その上部が鍵状に形成されている、請求項１または請求項２に記載の画像表示装置。
【請求項４】
前記鍵状は、前記ランプケーブルをその間に挟み込み保持可能なＵ字状を含む、請求項３に記載の画像表示装置。
【請求項５】
前記複数の突起部は、前記ランプケーブルをその間に挟み込み保持可能な隣接した突起部を含む、請求項２に記載の画像表示装置。
【請求項６】
前記突起部は、前記画像表示装置に設けられた取り付け穴に嵌合して配設される、請求項１または請求項２に記載の画像表示装置。
【請求項７】
前記突起部は、前記画像表示装置に接着して配設される、請求項１または請求項２に記載の画像表示装置。
【請求項８】
前記突起部は、移動可能に配設される、請求項１または請求項２に記載の画像表示装置。
【請求項９】
画像表示パネルと、
前記画像表示パネルのバックライト光源と、
前記光源への電源供給経路であるランプケーブルと、
前記ランプケーブルの余長を吸収する余長吸収部とを備え、
前記余長吸収部は、前記ランプケーブルの伸縮自在な構造を含む画像表示装置。
【請求項１０】
前記画像表示パネルは液晶表示パネルである、請求項１ないし請求項９のいずれかに記載の画像表示装置。
【発明の詳細な説明】
【技術分野】
【０００１】
この発明は、バックライト光源を使用する画像表示装置に関し、特に光源への電源供給経路であるランプケーブルの引き回し自由度を高める技術に関する。
【背景技術】
【０００２】
特許文献１において、中心以外の位置に回転中心を有するリールをランプケーブルの余長吸収部とする液晶表示装置が提案されている。
【０００３】
【特許文献１】特開平８−２９７８２号公報
【発明の開示】
【発明が解決しようとする課題】
【０００４】
特許文献１に示された液晶表示装置に使用されている余長吸収部は、中心以外の位置に回転中心を有するリールが使用されている。しかし、このような構成においてはインバータやドライバからなる電源供給源の設置位置が制限されてしまい、電源供給源の設置位置の自由度が小さいという問題があった。
【０００５】
この発明はこのような問題を解決するためになされたもので、電源供給源の設置位置の自由度が大きいランプケーブルの余長吸収部を有する、画像表示装置を提供することを目的とする。
【課題を解決するための手段】
【０００６】
本発明の画像表示装置は、画像表示パネル、画像表示パネルのバックライト光源、光源への電源供給経路であるランプケーブル、ランプケーブルの余長を吸収する余長吸収部を備え、余長吸収部は、画像表示装置の背面または側面に配設された突起部を含んで構成される。
【発明の効果】
【０００７】
本発明に係る画像表示装置は、画像表示装置の背面または側面に配設された突起部を含むランプケーブルの余長を吸収する余長吸収部を有し、電源供給源について、ランプケーブルが届く範囲内で自由に設置することが可能である。
【発明を実施するための最良の形態】
【０００８】
以下、この発明をその実施の形態を示す図面に基づいて具体的に説明する。
【０００９】
＜実施の形態１＞
（構成）
図１、２は本実施の形態に係る液晶表示装置１を非表示面（背面）から見たものである。樹脂や金属などで構成されるフレーム７の内部に、液晶表示パネル２および蛍光管（バックライト光源）４が内蔵されている。ランプケーブル６の一端は蛍光管４と接続されており、他端はランプコネクタ５と接続されている。フレーム７の表面には、液晶表示パネル２を制御するための制御基板３が設置されている。また、フレーム７の右下部には、ランプケーブル６の余長吸収部として、ランプケーブル６を巻きつけるための突起部１１が４つ配設されている。突起部１１の数は４つに限定されない。また、突起部１１は液晶表示装置１の背面に限らず、側面に配設されてもよい。突起部１１はフレーム７を成形する際に作りこまれても、取り付け穴などを形成しておき、後から取り付けられてもよい。
【００１０】
次に、突起部１１の形状例を図９〜図１７に示す。
【００１１】
図９は直方体、図１０は円柱形の形状になっている。このような単純な形状でもよい。
【００１２】
また、図１１〜図１５の突起部１１は、ランプケーブル６が突起部１１から外れることを防ぐような形状となっている。
【００１３】
図１１は上部が鍵状になっており、ランプケーブル６が引っかかる形状となっている。
【００１４】
図１２は上部がランプケーブル６を挟み込み保持可能なＵ字状を含む鍵状になっており、隙間幅８についてランプケーブル６の直径より僅かに小さくすることによって、ランプケーブル６を挟み込み、ランプケーブル６が外れるのを防ぐ形状となっている。
【００１５】
図１３は円柱形で、端部の直径が他の部分よりも大きく形成されており、ランプケーブル６が引っかかる形状となっている。
【００１６】
図１４は、図１１に示した鍵状の突起部が向かい合う形で形成されており、２つの突起部の隙間からランプケーブル６を入れ、ランプケーブル６が外れるのを防ぐ形状となっている。
【００１７】
図１５は開閉式で、かつ閉じたときにランプケーブル６を挟み込む溝が形成されており、閉じることによりランプケーブル６が外れるのを防ぐ形状となっている。
【００１８】
ここで、突起部１１について、例えば図１０に示した円柱形の直径などの、大きさを変えることで有効ランプケーブル長を調整することができる。また、ランプケーブル６を突起部１１に巻き付ける回数を変更することでも、有効ランプケーブル長を調整することができる。
【００１９】
このとき、突起部１１に図１６に示すような溝をつけて、巻き付けを確実にするような構成にしてもよい。また図１７に示すような円錐形でランプケーブルが巻き付けられる溝を有する形状を用いて、巻き付け位置と回数を調整することによっても有効ランプケーブル長を調整することもできる。
【００２０】
これらの形状の突起部を組み合わせてもよい。
【００２１】
（動作）
ランプコネクタ５を電源供給源に接続する際、ランプケーブル６について突起部１１を経由させる。
【００２２】
例えば、図１に示すように、ランプケーブル６は、突起部１１の４ヶ所を経由して、システム側の電源供給源と接続される。
【００２３】
また、図２に示すように、ランプケーブル６は、突起部１１の２ヶ所を経由して、システム側の電源供給源と接続されることもできる。このように、経由する突起部１１の数を減らすことにより、図１に示す場合よりも、液晶表示装置１からの有効ランプケーブル長を長くすることができる。
【００２４】
（効果）
突起部１１が形成されることにより、ランプケーブル６について突起部１１を経由させてシステム側の電源供給源と接続させることができ、ランプケーブル６の余長を吸収させることができる。
【００２５】
また、経由する突起部１１の大きさや数、また巻き付け回数の変更により、有効ランプケーブル長を調整することができ、電源供給源について、ランプケーブル６が届く範囲内で自由に設置することが可能である。
【００２６】
＜実施の形態２＞
（構成）
図３は本実施の形態に係る液晶表示装置１を非表示面から見たものである。フレーム７の右下部には、ランプケーブル６の余長吸収部として、ランプケーブル６を巻きつけるための突起部１１が４つ配設されている。さらに本実施の形態においては、フレーム７の右部に突起部１１が嵌合して配設されるための取り付け穴３１が、１０ヶ所形成されている。
【００２７】
その他の構成は実施の形態１と同様であるため、ここでの詳細な説明は省略する。
【００２８】
（動作）
実施の形態１と同様に、ランプコネクタ５を電源供給源に接続する際、ランプケーブル６について突起部１１を経由させる。
【００２９】
また、必要に応じて取り付け穴３１に突起部１１を嵌合して配設し、突起部１１の数を変更し、ランプケーブル６を経由させる形状もそれに合わせて変更する。
【００３０】
突起部１１の取り付け方法については、取り付け穴３１ではなく、粘着性のシートや接着剤などを用いてフレーム７に接着して配設させてもよい。また、いくつかの方法を組み合わせてもよい。
【００３１】
（効果）
フレーム７において取り付け穴３１が形成されることにより、突起部１１の取り付け位置や数を変更することが可能であり、有効ランプケーブル長をさらに細かく調整することが可能である。
【００３２】
＜実施の形態３＞
（構成）
図４は本実施の形態に係る液晶表示装置１を非表示面から見たものである。フレーム７の右下部には、ランプケーブル６の余長吸収部として、ランプケーブル６を巻きつけるための突起部１１が複数配設されている。また、突起部１１の隙間幅９はランプケーブル６の直径より僅かに小さくなるように形成されており、突起部１１はランプケーブル６を挟み込み保持可能なように隣接して配設されている。
【００３３】
その他の構成は実施の形態１と同様であるため、ここでの詳細な説明は省略する。
【００３４】
（動作）
実施の形態１と同様に、ランプコネクタ５を電源供給源に接続する際、ランプケーブル６について突起部１１を経由させる。その際、突起部１１の間にランプケーブル６を挟み込み、ランプケーブル６を固定させる。
【００３５】
（効果）
突起部１１の間にランプケーブル６を挟み込むことができるため、ランプケーブル６を確実に固定させることができる。
【００３６】
また、突起部１１が複数設けられているため、突起部１１を追加することなく有効ランプケーブル長の細かい調整が可能である。
【００３７】
＜実施の形態４＞
（構成）
図５は本実施の形態に係る液晶表示装置１を非表示面から見たものである。フレーム７の下部には、ランプケーブル６の余長吸収部として、ランプケーブル６を巻きつけるための突起部５２が配設されており、またフレーム７における突起部５２の設置部には、横方向に突起部５２を移動可能とすることができる溝５１が形成されている。
【００３８】
図６に、溝５１が形成されている部分についての側面図、また図７にその上面図が示されている。図６に示すように、溝底面４１の表面および突起部５２の下部には凹凸が形成されており、ラチェット構造となっている。すなわち、突起部５２は、図７に示すガイド（溝側面）７１に沿って、左右方向に移動させることができ、また右方向への力が加わっても固定状態を維持することができる構造となっている。
【００３９】
図５〜７において、溝５１は一つしか設けられていないが、複数あってもよい。
【００４０】
その他の構成は実施の形態１と同様であるため、ここでの詳細な説明は省略する。
【００４１】
（動作）
実施の形態１と同様に、ランプコネクタ５を電源供給源に接続する際、ランプケーブル６について突起部５２を経由させる。
【００４２】
また、必要に応じて突起部５２を移動させ、ランプケーブル６を経由させる長さもそれに合わせて変更する。
【００４３】
（効果）
突起部５２を移動させることができるため、複数の突起部を設置することなく有効ランプケーブル長を調整することができる。
【００４４】
また、他の実施の形態で示した構成と組み合わせて使用してもよい。
【００４５】
＜実施の形態５＞
（構成）
図５は本実施の形態に係る液晶表示装置１を非表示面から見たものである。本実施の形態においては他の実施の形態と異なり、フレーム７について突起部は形成されない。また、ランプケーブル８１として伸縮自在な構造であるカールコードが用いられている。
【００４６】
その他の構成は実施の形態１と同様であるため、ここでの詳細な説明は省略する。
【００４７】
（動作）
ランプコネクタ５が電源供給源に接続される際、ランプケーブル８１はその引き回しの距離に合わせて伸縮される。
【００４８】
（効果）
ランプケーブル８１として、伸縮自在のカールコードが用いられているため、フレーム７において突起部を設置することなく、有効ランプケーブル長を調整することができる。
【図面の簡単な説明】
【００４９】
【図１】本発明の実施の形態１に係る液晶表示装置を説明する図である。
【図２】本発明の実施の形態１に係る液晶表示装置を説明する図である。
【図３】本発明の実施の形態２に係る液晶表示装置を説明する図である。
【図４】本発明の実施の形態３に係る液晶表示装置を説明する図である。
【図５】本発明の実施の形態４に係る液晶表示装置を説明する図である。
【図６】本発明の実施の形態４に係る構成部品を説明する図である。
【図７】本発明の実施の形態４に係る構成部品を説明する図である。
【図８】本発明の実施の形態５に係る液晶表示装置を説明する図である。
【図９】本発明の実施の形態１に係る構成部品を説明する図である。
【図１０】本発明の実施の形態１に係る構成部品を説明する図である。
【図１１】本発明の実施の形態１に係る構成部品を説明する図である。
【図１２】本発明の実施の形態１に係る構成部品を説明する図である。
【図１３】本発明の実施の形態１に係る構成部品を説明する図である。
【図１４】本発明の実施の形態１に係る構成部品を説明する図である。
【図１５】本発明の実施の形態１に係る構成部品を説明する図である。
【図１６】本発明の実施の形態１に係る構成部品を説明する図である。
【図１７】本発明の実施の形態１に係る構成部品を説明する図である。
【符号の説明】
【００５０】
１  液晶表示装置、２  液晶表示パネル、３  制御基板、４  蛍光管、５  ランプコネクタ、６，８１  ランプケーブル、７  フレーム、８，９  隙間幅、１１，５２  突起部、３１  取り付け穴、４１  溝底面、５１  溝、７１  ガイド。
【図１】
2008287047.tif 000003
【図２】
2008287047.tif 000004
【図３】
2008287047.tif 000005
【図４】
2008287047.tif 000006
【図５】
2008287047.tif 000007
【図６】
2008287047.tif 000008
【図７】
2008287047.tif 000009
【図８】
2008287047.tif 000010
【図９】
2008287047.tif 000011
【図１０】
2008287047.tif 000012
【図１１】
2008287047.tif 000013
【図１２】
2008287047.tif 000014
【図１３】
2008287047.tif 000015
【図１４】
2008287047.tif 000016
【図１５】
2008287047.tif 000017
【図１６】
2008287047.tif 000018
【図１７】
2008287047.tif 000019